(57)【要約】【課題】  皮膚への痛みや損傷なく皮膚表面でまたは皮膚表面の下で脱毛を効果的に行う。【解決手段】  脱毛および剥脱装置は、皮膚に対して押し付けてそこから毛を剥離し皮膚を剥脱するための一対の逆回転表皮剥離用表面を備えている。これらの表面は、皮膚の表面における逆回転方向へ連続交互運動するように適合させられても良い。好適な態様では、２つの逆回転表皮剥離用表面が設けられ、一方は時計方向に回転し、他方は反時計方向に回転する。
2005521438.tif 000002
【特許請求の範囲】
【請求項１】
改良された電気式脱毛装置であって、
毛深い皮膚に対して押し付けて前記皮膚を剥脱しそこから毛を剥離するための表皮剥離用表面を備え、
前記表面が、皮膚に対して異なる方向へ自動的かつ連続的な電子制御運動するように適合されていることを特徴とする改良された電気式脱毛装置。
【請求項２】
前記運動が回転運動であり、前記異なる方向が時計方向回転および反時計方向回転であることを特徴とする請求項１記載の改良された電気式脱毛装置。
【請求項３】
改良された電気式脱毛装置であって、
毛深い皮膚に対して押し付けて前記皮膚を剥脱しそこから毛を剥離するための２つまたはそれより多くの隣接するほぼ同一平面上の表皮剥離用表面を備え、
それぞれの表面が、隣接する前記表面の他方に対して異なる方向へ運動するように適合されていることを特徴とする改良された電気式脱毛装置。
【請求項４】
前記運動が回転運動であり、前記異なる方向が時計方向回転および反時計方向回転であることを特徴とする請求項３記載の改良された電気式脱毛装置。
【請求項５】
前記２つまたはそれより多くの表皮剥離用表面が、単一の回転軸のまわりで回転し同心的に配置された表面からなることを特徴とする請求項４記載の改良された電気式脱毛装置。
【請求項６】
改良された電気脱毛装置であって、
毛深い皮膚に対して押し付けて前記皮膚を剥脱しそこから毛を剥離するための可動表皮剥離用表面を備え、
前記表面が、前記皮膚に対して異なる方向へ交互に電子制御運動するように適合されていることを特徴とする改良された電気式脱毛装置。
【請求項７】
前記運動が回転運動であり、前記異なる方向が時計方向回転および反時計方向回転であることを特徴とする請求項６記載の改良された電気式脱毛装置。
【請求項８】
改良された電気式脱毛装置であって、
毛深い皮膚に対して押し付けて前記皮膚を剥脱しそこから毛を剥離するための２つまたはそれより多くの隣接するほぼ同一平面上の表皮剥離用表面を備え、
それぞれの表面が、隣接する前記表面の他方に対して異なる方向へ交互に運動するように適合されていることを特徴とする改良された電気式脱毛装置。
【請求項９】
前記運動が回転運動であり、前記異なる方向が時計方向回転および反時計方向回転であることを特徴とする請求項８記載の改良された電気式脱毛装置。
【請求項１０】
前記２つまたはそれより多くの表皮剥離用表面が、単一の回転軸のまわりで回転し同心的に配置された表面からなることを特徴とする請求項９記載の改良された電気式脱毛装置。
【請求項１１】
改良された電気脱毛装置であって、
毛深い皮膚に対して押し付けて前記皮膚を剥脱しそこから毛を剥離するための可動表皮剥離用表面を備え、
前記表皮剥離用表面が、交換用の前記装置から取外し可能であり、逆回転表皮剥離用外部リングによって同心的に囲まれた正回転表皮剥離用内部ディスクを有することを特徴とする改良された電気式脱毛装置。
【請求項１２】
前記表皮剥離用表面が球面状であることを特徴とする請求項１１記載の改良された電気式脱毛装置。
【請求項１３】
前記表皮剥離用表面が、バヨネット型取付け手段によって、前記装置から取外し可能であることを特徴とする請求項１１記載の改良された電気式脱毛装置。
【請求項１４】
前記表皮剥離用表面が、ネジ山手段により前記装置から取外し可能であることを特徴とする請求項１１記載の改良された電気式脱毛装置。
【請求項１５】
前記表皮剥離用表面が、マジックテープ状締結手段により、前記装置から取外し可能であることを特徴とする請求項１１記載の改良された電気式脱毛装置。
【請求項１６】
脱毛装置の使用のために改良された表皮剥離要素であって、
内部ディスクと、それと同心的な別の外部リングとを備えることを特徴とする改良された表皮剥離要素。
【請求項１７】
毛深い皮膚から脱毛し前記皮膚を剥脱するための改良された脱毛方法であって、
電気的に回転される表皮剥離用内部ディスクと電気的に逆回転される表皮剥離用外部リングとからなる表皮剥離用表面を提供し、
前記皮膚から脱毛が行われ前記皮膚が剥脱されるまで、前記表皮剥離用表面を前記皮膚に対して押し付けることを特徴とする改良された脱毛方法。
【請求項１８】
毛深い皮膚から脱毛し前記皮膚を剥脱するための改良された脱毛方法であって、
少なくとも１つの電気的に回転される表皮剥離用第１のディスクと、前記第１のディスクに隣接しそれに対して逆回転するように適合された少なくとも１つの電気的回転される表皮剥離用第２のディスクとからなる表皮剥離用表面を提供し、
前記皮膚から脱毛が行われ前記皮膚が剥脱されるまで、前記表皮剥離用表面を前記皮膚に対して押し付けることを特徴とする改良された脱毛方法。
【請求項１９】
改良された電気式脱毛装置であって、
毛深い皮膚に対して押し付けて前記皮膚を剥脱しそこから毛を剥離するための２つまたはそれより多くの隣接するほぼ平行な表皮剥離用円筒を備え
それぞれの円筒が、隣接する前記円筒の他方に対して異なる方向へ回転運動するように適合されていることを特徴とする改良された電気式脱毛装置。
【請求項２０】
前記異なる方向が時計方向回転および反時計方向回転であることを特徴とする請求項１９記載の改良された電気式脱毛装置。
【請求項２１】
改良された電気式脱毛装置であって、
毛深い皮膚に対して押し付けて前記皮膚を剥脱しそこから毛を剥離するための２つまたはそれより多くの隣接する同軸上の表皮剥離用円筒を備え、
それぞれの円筒が、隣接する前記円筒の他方に対して異なる方向への回転運動するように適合されていることを特徴とする改良された電気式脱毛装置。
【請求項２２】
前記異なる方向が時計方向回転および反時計方向回転であることを特徴とする請求項２１記載の改良された電気式脱毛装置。
【請求項２３】
静止体と、そこから延びる１つまたはそれより多くの回転軸と、前記１つまたはそれより多くの回転軸に接続するように適合されハウジングに対して一緒に回転するように適合された１つまたはそれより多くの表皮剥離用表面とを有するタイプの改良された電気式脱毛装置であって、
前記１つまたはそれより多くの表皮剥離用表面を前記１つまたはそれより多くの回転軸に着脱可能にするための１つまたはそれより多くの接合継手を備え、
前記１つまたはそれより多くの接合継手の各々が、前記１つまたはそれより多くの表皮剥離用表面を前記１つまたはそれより多くの回転軸に所定長手方向へ結合するための長手方向ロック手段と、
前記１つまたはそれより多くの表皮剥離用表面を前記１つまたはそれより多くの回転軸に所定回転方向へ結合するための回転ロック手段とを備えることを特徴とする改良された電気式脱毛装置。
【請求項２４】
それぞれの表皮剥離用表面が表皮剥離用パッドを備え、
それぞれの継手が、前記パッドに固定されたパッドコネクタと、前記回転軸に固定されたドライブコネクタとを備え、
それぞれのパッドコネクタが、軸方向の結合力によってそれぞれのドライブコネクタに接続するように適合され、
前記パッドコネクタまたは前記ドライブコネクタのそれぞれの一方が、１つまたはそれより多くのリードインカムと、回転ロックスロットとを含み、
前記パッドコネクタまたは前記ドライブコネクタのそれぞれの他方が、１つまたはそれより多くの回転ロックタブを含み、
それぞれカムが、前記軸方向の結合力によってそれぞれの関連スロットとの回転心合わせ状態でそれぞれの関連タブを回転させるように適合されていることを特徴とする請求項２３記載の改良された電気式脱毛装置。
【請求項２５】
それぞれの表皮剥離用表面が表皮剥離用パッドを備え、
それぞれの継手が、前記パッドに固定されたパッドコネクタと、前記回転軸に固定されたドライブコネクタとを備え、
それぞれのパッドコネクタが、軸方向の結合力によってそれぞれのドライブコネクタに接続されるように適合され、
前記パッドコネクタのそれぞれの一方が、１つまたはそれより多くのリードインカムおよび回転ロックスロットを含み、
それぞれのドライブコネクタが１つまたはそれより多くの回転ロックタブを含み、
それぞれのカムが、前記軸方向の結合力によってそれぞれの関連スロットとの回転心合わせ状態でそれぞれの関連タブを回転させるように適合されていることを特徴とする請求項２３記載の改良された電気式脱毛装置。
【発明の詳細な説明】
【技術分野】
【０００１】
本発明は身体および顔を脱毛するための装置に関する。詳細には、本発明は、素肌磨き（buffing）および表皮剥離（abrasion）により脱毛を行い、それと同時に剥脱して皮膚に有益な効果を与える電気ブレードレス装置に関する。
【背景技術】
【０００２】
余分な顔の毛および体毛の問題に対して最も一般的な解決策はシェービングである。皮膚の表面近くまたは表面下で毛を切除しようとする多数のシェービング装置が多年にわたって市販されている。シェービングの大きな欠点は、効果を維持するためにシェービングを度々行わねばならないということである。ブレード（刃）によるシェービングは、実際には、切り傷および擦り傷を作り、皮膚に対する炎症および乾燥の原因となる。シェービングを行っても無精ひげが毎日残ることになる。従って、顔の領域に関して、女性がシェービングを行うことは一般的でない。シェービングはさらに様々な皮膚の問題および炎症を引き起す原因であるとされている。カットされた毛の再成長速度が異常になることがあり、切り傷および擦り傷のせいで皮膚がより敏感になり、その結果として炎症を起こす。
【０００３】
毛を引き抜くことにより脱毛を行う数多くの脱毛装置が市販されている。同様に、除去される時に毛を引き抜くマスチック樹脂を貼り付けることによって、脱毛が行われている。しかし、毛の引き抜きは痛みを伴う方法であり、毛の再成長速度を高める原因になるとされている。毛根を引き抜くことよりもむしろ、その方法は実際には皮膚表面のかなり上またはその下のどこかで毛幹を取り除くのである。それに加えて、マスチック樹脂または引き抜きによる脱毛のために掴み得るのに十分な長さに毛が成長するまで待たなければならない。
【０００４】
毛包に電流を適用して毛自体を殺すことにより脱毛する代替的方法として電気分解療法が利用されている。この方法は費用がかかり、しばしば専門家の助力または高価な機器の使用を必要とする。さらに、毛は一本ずつ脱毛しなければならず、そのことによりこの方法は単調かつ多大な時間を必要とする。
【０００５】
むだ毛を除去するため、または、むだ毛を漂白して人目を引かないようにするため、化学的手段が使用されている。しかしながら、この手段には皮膚への周辺損傷をもたらすという欠点がある。
【０００６】
米国特許第１９１０６４７号、第２３１４２２０号、および第２３２８８８６号に開示されたような手持ち式手動ヘアサンディングパッドは、皮膚に押し付けられ擦られて、サンディングおよび摩擦により脱毛を行う。しかしながら、このような手法は、全く単調なものであり、その結果、ユーザーが行う動作の圧力、速度、及び頻度などのような制御不能な要素に左右されて一貫性がないことが見出されている。疲れる単調な腕の運動は、ユーザーによって提案された手動（非自動化）サンディング手順を行う際に認識される固有の問題である。
【０００７】
Ｖａｒｎｕｍに対しての米国特許第５３７７６９９号には、摩擦による脱毛を行うために請求された電気式装置が開示されている。人目につかない先細り形状に毛をのばすために請求されている回転摩擦表面が、穿孔された網を介して皮膚に押し付けられる。しかしながら、実際には、連続的に同方向である摩擦は、皮膚の近くから毛を切断する際に望まれるほど効果的ではない。フォイルスクリーンによりもたらされるブレードと皮膚との間隔が非常に大きいので、皮膚表面の下からの脱毛をうまく達成できない。さらに、損傷または破損したフォイルが切り傷や引っかき傷を作ることもある。加えて、開示された実施の形態における摩擦表面の交換は全く面倒であり、衛生上の理由から個人にとって装置の使用が大幅に制限されるか、または少なくとも、摩擦表面の適時の交換を妨げて装置の有効性を低下させる。
【０００８】
Ｇｉｏｖａｎｎａに対しての米国特許第２７１４７８８号は、脱毛を行うために摩擦用ディスクを回転させる電気式装置が開示されており、この装置においては、機械式機構のために回転方向が数回転後に時計方向から反時計方向へ交互に起こる。急速に回転するディスクと関連構成要素とによって生み出される慣性は相当量あり、そのディスクおよび関連構成要素は瞬間的に停止され、この定速度機械設計によって回転方向を向け直す必要がある。Ｇｉｏｖａｎｎａは、逆転前に回転ヘッドを減速し、逆転後に回転ヘッドを加速するための手段を全く提供していない。その結果として、Ｇｉｏｖａｎｎａの装置は、極端に強い手首を有していないユーザーが使用するのには非実用的である。そのような機構は摩耗および亀裂を非常に起こしやすく、ユーザーを極度に疲労させることが見出されている。
【０００９】
米国特許第５０８４０４６号においては、リング面に非摩擦用座面を備え、その内部に同平面の偏心回転摩擦用ディスクを有する電気式装置が開示されている。非摩擦用リングは皮膚に対して保持され、摩擦用ディスクはリング内部で皮膚の脱毛を行うために回転させられる。ディスクは一方向にしか回転しないようになっているので、この装置は脱毛の際に不十分である。加えて、この装置によって扱われる皮膚領域は小さいので、大きな皮膚領域からの脱毛は非常に単調なものである。
【発明の開示】
【発明が解決しようとする課題】
【００１０】
従って、本発明の主たる目的は、従来の技術の不十分さを克服し、皮膚への痛みおよび損傷なく皮膚表面でまたは皮膚表面の下で脱毛を効果的に行うとともに、同時に皮膚の剥脱をもたらす装置を提供することにある。
【００１１】
本発明のさらなる目的は、最も効果的かつ完全に脱毛を行うために、往復運動、または、時計方向および反時計方向運動において素肌磨きと表皮剥離とによって脱毛を行う装置を提供することにある。
【００１２】
本発明のさらなる目的は、ユーザーを疲れさせずに連続して作動する装置を提供することにある。
【００１３】
本発明のさらなる目的は、素肌磨き用表面と表皮剥離用表面とが容易に交換される装置を提供することにある。
【００１４】
本発明のさらなる目的は、死んだ皮膚細胞を除去することにより脱毛を行いつつ皮膚に有益な効果を与えると同時に、セリュライトモジュールの破壊を助ける装置を提供することにある。
【００１５】
本発明のさらなる目的および利点は、本発明の様々な実施の形態についての以下の記述と描写を精査することにより明らかになる。
【課題を解決するための手段】
【００１６】
本発明の１つの態様によれば、目の細かい砂粒状の非アレルギー誘発性表皮剥離用表面を使用して時計方向運動と反時計方向運動とにより繰り返し交互に素肌磨きと毛の剥離とを行うことで顔および身体の脱毛を行う電気式装置が提供される。
【００１７】
毛の房を皮膚に対して平らに寝かせるために表皮剥離用表面を皮膚に対して押し付けた状態で、この装置が位置決めされる。皮膚に対して平らに寝かせ両方向に連続的に３６０度回転させられている間に、毛幹の直径も低減される。このような位置決めと表皮剥離用表面との働きの結果として、毛幹は連続的な３６０度運動により回転させられる。表皮剥離用表面は皮膚の至る所で回転させられ、長い毛幹を緊密に巻かれた結び目にする。それから、表皮剥離用表面は逆方向に回転させられ、結び目をつかみ、その毛の房を反対方向に捻る。回転速度は電子的に制御されるので、ユーザーへの不快な作用を減らし、モータの磨耗と亀裂とを減らすために、逆回転の直前に回転を減速し、逆回転後に回転を所望の回転速度に再加速することができる。
【００１８】
素肌磨き用および表皮剥離用の表面の回転を繰り返し急速に逆転させることにより、皮膚表面の下で毛根の近くに毛の房が屈曲させられ、それと同時に、毛幹の太さが低減される。この繰り返される曲げにより、最終的には、常に皮膚表面でまたは皮膚表面の下で毛幹が弱くなり折り取られ、または、屈曲した地点において細い地点まで剥離させられる。見た目が低下し、毛根はこの繰り返しのプロセスにより無傷で残される。加えて、皮膚の剥脱により皮膚表面の下からの毛幹の除去が、より滑らかな皮膚表面をもたらす。
【００１９】
素肌磨きは、連続的な刺激により、死んだ皮膚細胞の除去、皮膚の平滑化、および、ロザティアやセリュライトのような美容上の欠点の減少というように、皮膚自体に対する有益な効果を与えることが見出されている。従って、皮膚表面は積極的かつ健康的な形でこの強力な刺激に反応することになる。連続的な素肌磨きおよび剥離の後には、毛の成長があまり活発ではなくなる。素肌磨きは実際には毛根レベルにおいて非常に小さな毛幹を取り除き、その結果、毛包が将来成長することはない。それに比べると、伝統的なブレードによるシェービングは刺激を与えることが殆どまたは全くなく、実際には皮膚を傷つけることになる。
【００２０】
本発明の好ましい態様によれば、電気式装置が一方向に連続的に回転する平面表皮剥離用ディスクを設けられている。このディスクは、反対方向に回転する平面素肌磨き用リングにより同心上に囲まれている。逆回転の素肌磨き用表面を皮膚上の毛に押し付けつつ、装置が皮膚の表面全体を往復運動することにより、皮膚表面でまたは皮膚表面の下で毛を折り取ることによって究極的に脱毛を行う類似の毛結びおよび表皮剥離効果がもたらされる。脱毛が最も効率的に行われるのは、リングの内側がディスクの外側に出会う場所である。皮膚表面上での装置の軽い手の動きにより、毛幹は毎分８００回転で両方向に回転させられる。
【００２１】
本発明の他の態様は、２つまたはそれより多くの同平面上での並行回転または逆回転の素肌磨き用ディスクを備えている。さらに見出されていることは、素肌磨き用表面による毛への押し付けの応用に結び付けて考えると、素肌磨き用表面の環状またはランダム運動または、直線往復運動のいずれかは、最適な結果ではないが、類似の結果を提供する。他の様々な態様も予想されるが、これらも十分に発明の範囲内に含まれる。その範囲は、電気的に供給される装置によって、表皮剥離用表面を使って皮膚に対しての往復動素肌磨き作用の適用として記載されている。
【００２２】
添付図面に関して取られた記述から、本発明についての理解が深まり、追加的な目的と効果が明らかになる。
【発明を実施するための最良の形態】
【００２３】
本発明による様々な表皮剥離装置が添付図面に示されている。まず、図１〜図７と図１６〜図３０を参照すると、皮膚から毛を効率的に剥離する本発明の好適な実施の形態の電気式装置１００が示されている。
【００２４】
ハウジング１０２は、内部にモータ１０４とそれに連結された遊星ギア装置１０６とを備えている。ギア装置とハウジングとから、表皮剥離用リング１１４と周辺表皮剥離用リング１１６とを着脱自在に受取り収容するためにその終端１１２に継手機能を有する同軸シャフト組立体１０８が延びている。
【００２５】
このシャフト組立体は、ギア装置の「遊星」ギア１２２に連通する中空外部シャフト１１８を備えており、また、中空外部シャフトの内部に同軸配置されるとともにギア装置の「太陽」ギア１２６に連通する内部シャフト１２４を備えている。モータ１０４の回転によってギア装置１０６を通じての伝達がディスク１１４およびリング１１６を反対方向に同軸回転させる。
【００２６】
第１の表皮剥離用表面１２８が表皮剥離用ディスク１１４の球状面１３２に形成されており、第２の表皮剥離用表面１３４が表皮剥離用リング１１６の切頭球状面１３６に形成されている。モータ１０４を作動させることにより、第１の表皮剥離用表面および第２の表皮剥離用表面を反対方向に回転させた状態で表皮剥離用表面１２８、１３４が、シャフト組立体１０８の軸のまわりを回転させられる。
【００２７】
ディスク１１４とリング１１６は、図１６〜図３０に示したコネクタ組立体１６０により、シャフト組立体１０８の終端１１２から個別に取外し可能である。しかしながら、表皮剥離用表面１２８，１３４を装置１００に着脱自在に固着するために、他の様々な取付け手段を利用することができることも予想されるので、その取付け手段は掃除または交換のために時々取外されても良い。そのような他の取付け手段には、ねじ切りおよび／または裏面用接着剤が含まれても良いし、または、表皮剥離用表面１２８，１３４と平らな部分１３２，１３６との間で簡単にマジックテープ状締結（hook and loop fastening）の形態にしても良い。
【００２８】
各々の表皮剥離用表面は非常に目の細かいサンドペーパまたはエメリークロスからなる。使用時に毛深い皮膚１４２に押し付けようとする単一の素肌磨き用表面１８を形成するために面１３２，１３６が同じ球状表面上にあるように、ディスク１１４とリング１１６が成形され配置されている。あるいは又、ディスクおよびリングの面が平らで同一平面上であることがある。
【００２９】
コネクタ組立体１６０は、外部ドライブコネクタ１６２と、内部ドライブコネクタ１６４と、リングパッドコネクタ１６６と、ディスクパッドコネクタ１６８とからなる。外部ドライブコネクタ１６２は外部シャフト１１８に取外せないような方法で装着されており、内部ドライブコネクタ１６４は内部シャフト１２４に取外せないような方法で固定されている。この好適な実施の形態では、同時交換のために、ディスク１１４およびリング１１６はディスクパッドコネクタ１６８およびリングパッドコネクタにそれぞれ取外せないような方法で固定されている。しかしながら、ディスクとリングは、それらのパッドコネクタとは別に交換可能であり、「裏を剥がすと貼れる」接着裏面またはマジックテープ状締結のような手段によってそれらのパッドコネクタに固着可能である。
【００３０】
好ましくは、ディスク１１４および／またはディスクパッドコネクタ１６８の組立体と、リング１１６および／またはリングパッドコネクタ１６６の組立体との取外しおよび交換は、パッドコネクタと、その関連する内部ドライブおよび外部ドライブコネクタ１６４，１６２との間でのスナップ嵌合により行われる。最初に、図２３Ａおよび図２３Ｂに示したようなリングパッドコネクタ１６６の中にディスクパッドコネクタ１６８がスナップ嵌合されるので、これらの２つの構成要素はディスクパッドのロック形状構成１７０により長手方向に固定されるが、お互いに対して自由に回転可能である。このリングおよび／またはディスクコネクタ組立体１８０が内部および外部ドライブコネクタ１６４，１６２に軸方向に押し付けられるので、外部ドライブコネクタのタブ１７２Ｂと内部ドライブコネクタのタブ１７４Ｂとによってリングパッドコネクタのリードイン形状構成１７２Ａとディスクパッドコネクタのリードイン形状構成１７４Ａとがそれぞれ係合されて、それによりタブ１７２Ｂ，１７４Ｂがスロット１７２Ｃ，１７４Ｃをそれぞれ発見しその中に入るようなアライメント（心合わせ）がもたらされる。こうして、リングおよびディスクパッドコネクタは外部および内部ドライブシャフト１１８，１２４にそれぞれ回転自在に固定されることになる。図２３および図２４から最もよく分かるように、タブをカム作用によりスロットの中に入れるために、リードイン形状構成１７２Ａ，１７４Ａはスロット１７２Ｃ，１７４Ｃに向けてそれぞれ内向きに先細りになっているので、タブおよびスロットにおける何らかの初期のミスアライメントが、リードイン形状構成における軸方向の装着力とカム作用との結合により修正されることになる。サブ組立体１８０を軸方向に固着してリング１１６およびディスク１１４のパッドを装置ハウジング１０２の上で保持するために、内部ドライブコネクタのロック形状構成１７６がディスクパッドコネクタをつかむ。その結果、モータ１０４の回転がギア装置１０６の回転を可能にし、それにより、内部シャフト１２４と外部シャフト１１８との逆回転と、表皮剥離用リング１１６およびディスク１１４との逆回転を可能にする。
【００３１】
使用中には、素肌磨き用表面１３８は、脱毛される毛１４４を含む皮膚に押し付けられ、モータ１０４は作動させられる。ディスク１１４とリング１１６の両方が通常の回転中には約８００ＲＰＭで回転するようにモータ速度を制御するために、回路１４６が使用される。また、回転速度を早くおよび遅くさせるために、ユーザーによって回路が調節可能である。回転が可能になり素肌磨き用表面１３８が毛深い皮膚に押し付けられている間に、逆回転の表皮剥離用表面１２８，１３４の効率をいちだんと強めるために、および、皮膚１４２上の全ての毛の房１４４を両回転表面に対して繰り返し交互に露出させるために、装置１００は皮膚上を往復運動させられる。このプロセスは、毛が結い上げられ、曲げられ、擦られ、および、皮膚表面でまたはすぐその下で折り取られながら続けられる。最終的には、全ての毛の房が除去される。大部分の脱毛動作が、ディスクとリングとの接合または分離の時に、すなわち、ディスクとリングが同時に反対方向へ動いている場所で生じることが見出されている。
【００３２】
この逆回転構成が、本発明の代替的実施の形態と比べて、回転慣性およびトルクの変動をなくすことによってモータ寿命を延ばすと気づかされるだけでなく、装置全体のバランスも改善されユーザーの疲れも少なくなると気づかされる。
【００３３】
図示したように、内部シャフト１２４と外部シャフト１１８とに等しい回転速度を提供し、それ故に、両方の表皮剥離用表面に等しい回転速度を提供するために、ギア装置１０６は配置されている。しかしながら、交互ギア比の選択によりシャフトの相対的な回転速度が変更可能にされることが予想される。
【００３４】
図５Ｃは、本発明により素肌磨きされている時の長い毛幹１４４の様子の連続図である。左から右へ眺めると、毛幹は素肌磨き前に垂直位置に直立しており、その後に、図５Ｃから最もよく分かるように、装置を皮膚に押し付けることにより皮膚１４２に対して水平位置に寝かせられる。素肌磨きが進むと、図５の右方向へ移動することにより眺められるように、毛の形状が変形してくる。毛幹がその先端１５２で尖っているのが分かる。毛根が皮膚の近くで結び目を作らされおよび切断させられるために、装置が皮膚を横断して往復運動させるにつれて、毛幹が実際には時計方向および反時計方向へ非常に高速で巻かれおよび素肌磨きされることに気づかされる。右側に示したように、皮膚のすぐ下まで脱毛が行われるように、素肌磨きは続く。次に、追加的な素肌磨きは、死んだ細胞を除去するために皮膚を剥離する。
【００３５】
毛幹が比較的短い場合は、毛幹に結び目を作ることはめったに生じないが、素肌磨き動作が皮膚表面のひびに達するまで毛の太さを低減し、次に、追加的な素肌磨きにより皮膚表面のすぐ下まで脱毛が行われ、皮膚が剥離される。
【００３６】
新しい毛のように非常に細く根付きが浅い毛の場合には、表皮剥離動作が実際には痛みや不快感なく毛幹全体を毛根まで引き抜くことが見出されている。根付きの浅い（新しい）毛をブレードがシェービングすることにより実際にはこれ以降の活発な発毛が促進されることが文献には記載されている。
【００３７】
この脱毛の効率は、皮膚に対する圧力を一定に保つことにより大幅に向上される。毛幹が表皮の下から取出される前に装置が皮膚表面から移動される場合には、比較的長い毛幹には結び目が作られないことがあり、再び結び目を作らなければならないので、脱毛処置がそれだけ長くかかることになる。
【００３８】
剥離用表面が毛と接触している皮膚上で正確に圧力がかけられるので、毛幹は皮膚の下まで除去される。脱毛中に毛幹をより多く露出させるために、この圧力は毛幹を囲んでいる領域の皮膚を圧縮する。これは、皮膚表面に対して加えられる圧力が皮膚に有害な擦り傷および／または切り傷を作る原因となる刃によるブレードシェービング装置と対照的である。また、電気シェーバは、皮膚だけの類似圧縮を禁止する網目スクリーンをカッタと皮膚との間に備えているので、皮膚の下まで毛を切断することはない。
【００３９】
本発明のもう１つの利点は、皮膚から死んだ細胞を剥離することにより表皮を剥脱する性能である。表皮剥離のお決まりの手順の間に、ユーザーは表皮剥離用部位の周囲に形成する白い粉状物質に気づくはずである。これは、剥脱を行った証拠、すなわち、死んだ皮膚細胞と、皮膚および毛の小さなバンプと、塊状の露出セリュライトとを実際に除去した証拠である。ひとたび毛と深い表皮とが除去されると、皮膚表面は非常に柔らかく滑らかになる。
【００４０】
皮膚に対するその他の利点と脱毛疲労の低減は、（天然の皮膚乾燥剤である）水、シェービングクリーム、および石鹸を使用する必要がないことにより実現される。また、利用される素肌磨き紙は、皮膚の反応を避けるために、非アレルギー性紙の上で非常に目の細かい砂粒状である。
【００４１】
本発明における第２の実施の形態２００は、図８〜図１０で示され、２つの並行ディスク２１４，２１６を備えている。好ましくは、これらのディスクは、図示したように、反対方向に回転するよう配置されている。これにより、装置が毛深い皮膚の上を往復運動させられるにつれ、毛に類似結び目と逆結び目とがもたらされる。しかしながら、ディスクが同じ方向に回転可能であり、それにより、接点２１８における表皮剥離用表面が向かい合って移動させられ、好適な実施の形態１００と同様な領域において毛に作用させられることが予想される。
【００４２】
第３の実施の形態３００が図１１に示してある。回路によってモータ回転が使用中に繰り返し迅速に反転させるという点を除けば、この装置は、好適な実施の形態１００と類似に構成されている。類似のギア装置によりモータ回転に接続されているので、ディスク３１４は最初は一方向に、例えば、反時計方向に回転し、リング３１６は他の方向に、例えば時計方向に回転し、次に、１〜３回の全回転の後に、モータ方向は、従ってディスクおよびリングの回転方向は逆転させられ、そのために、ディスクは時計方向に、およびリングは反時計方向にそれぞれ回転する。再び、これらの方向への１〜３回の全回転の後に、モータ方向は、電子的に減速されて停止し、その後にディスクとリングとが再び逆回転するように反転される。逆回転の周波数は約１〜７Ｈｚの範囲で生じるべきである。ディスクおよびリングは、理想的には８００ＲＰＭで一方向に回転し、それから、逆方向に８００ＲＰＭに再加速する前に減速されて停止する。この過程の間、逆回転表皮剥離の効率をいちだんと強めるために、および、逆回転する表皮剥離用表面３２８，３３４に対して皮膚上の全ての毛の結い上げを繰り返し露出させるために、装置３００は皮膚上で往復運動させられる。毛が結び目を作られ、曲げられ、および、（比較的長い毛に対して）毛根のところで折り取られ又は（比較的短い毛に対して）擦り切らされながら、上述の過程は続けられる。
【００４３】
回路が第３の実施の形態と類似して機能するが、単一の回転ディスク４１４だけが使用される第４の実施の形態が図１２に示してある。ディスクは第一方向に、例えば時計方向に回転し、次に、１〜３秒後または１４〜４２回の全回転の後に、モータは停止し、方向を逆転する。従って、ディスクの回転方向が逆転されるので、ディスクは反時計方向に回転する。再び、１〜３秒後またはこの方向への１４〜４２回の全回転の後に、モータの方向が逆転されるので、ディスクの回転が再び逆転する。
【００４４】
図１３に示した第５の実施の形態は、第１の表皮剥離用リング５１６と同心で第１の表皮剥離用リングを囲み、第１の表皮剥離用リングと反対方向に回転するよう配置された第２の表皮隔離用リング５１８からさらに構成されるという点を除けば、好適な実施の形態１００に類似している。その他の点では、使用法は好ましい実施の形態の使用法と同一である。
【００４５】
図１４は、第６の実施の形態で利用される交互ギア装置６０６を示し、第６の実施の形態は、リングパッド６１６とディスクパッド６１４とを反対方向に駆動するモータ６０４と一緒に使用するために上述の図１〜図７の好ましい実施の形態に類似している。
【００４６】
図３１は、本発明における第７の実施の形態のドライブシステム７００を示し、そのドライブシステムではモータ７０４によって複数の同軸円筒状表皮剥離用表面７１４，７１６がそれぞれ互いに隣接する表皮剥離用表面と反対方向に回転させられる。
【００４７】
図３２は、本発明における第８の実施の形態のドライブシステム８００を示し、そのドライブシステムではモータ８０４によって一対の平行な円筒状表皮剥離用表面８１４，８１６が互いに反対で、連続的に同方向または周期的に逆方向に回転させられている。
【００４８】
図３３は、本発明における第９の実施の形態のドライブシステム９００を示し、そのドライブシステムではモータ９０４によって複数の平行な円筒状表皮剥離用表面９１４，９１６がそれぞれ隣接する表皮剥離用表面と反対で、連続的に同方向または周期的に逆方向に回転させられている。
【００４９】
ここに具体化された本発明は代表的な例であって、部品の形状、寸法、配置等についての様々な変更は本発明の範囲を逸脱することなく実施できるものである。それ故に、本発明の特許請求の範囲は次の請求項によってのみ限定されるものである。
【図面の簡単な説明】
【００５０】
【図１】内部の遊星ギア装置を示すためにハウジングの一部を有する本発明の好適な実施の形態によるヘアバッフィング装置の側面図である。
【図２】図１の装置の底部斜視図である。
【図３】図1の装置の底面図である。
【図４】図１の装置における内部構造の拡大側面図である。
【図５Ａ】図１の装置における皮膚と毛との境界面を示す側面図である。
【図５Ｂ】素肌磨き中での図１の装置における皮膚と毛との境界面の拡大部分側面図である。
【図５Ｃ】素肌磨き後の毛の様々な進行量を示すイメージの連続的な図である。
【図６】図１の装置の分解斜視図である。
【図７】図１の装置の概略的な電気回路図である。
【図８】本発明の第２の実施の形態によるヘアバッフィング装置の側面図である。
【図９】図８の装置の底面斜視図である。
【図１０】図８の装置の底面図である。
【図１１】本発明の第３の実施の形態によるヘアバッフィング装置の底面図である。
【図１２】本発明の第４の実施の形態によるヘアバッフィング装置の底面図である。
【図１３】本発明の第５の実施の形態によるヘアバッフィング装置の底面図である。
【図１４】第１の実施の形態のような実施の形態において使用するための代替ギア装置の部分斜視図である。
【図１５Ａ】図１の装置におけるギア装置を貫く部分断面図である。
【図１５Ｂ】図１の装置におけるギア装置の部分側面図である。
【図１５Ｃ】図１の装置におけるギア装置とモータとを貫く詳細部分断面図である。
【図１５Ｄ】図１４のギア装置とモータとの詳細部分平面斜視図である。
【図１５Ｅ】図１４のギア装置とモータとの詳細部分側面図である。
【図１６】図１の装置の上部斜視図であり、表皮剥離要素と、それから分解された関連構成要素とを示す。
【図１７Ａ】図１の装置の断面的な側面図であり、表皮剥離要素と、それから分離された関連構成要素とを示す。
【図１７Ｂ】図１の装置の断面的な側面図であり、表皮剥離要素と、それから分離された幾つかの関連構成要素とを示す。
【図１８Ａ】図１の装置の完全な側面図であり、表皮剥離要素と、それから分離された関連構成要素とを示す。
【図１８Ｂ】図１の装置の完全な側面図であり、それから分離された表皮剥離要素を示す。
【図１９Ａ】図１の装置の底部斜視図であり、表皮剥離要素と、それから分離された関連構成要素とを示す。
【図１９Ｂ】図１の装置の底部斜視図であり、表皮剥離要素と、それから分解された関連構成要素とを示す。
【図１９Ｃ】図１の装置の上部斜視図であり、表皮剥離要素と、それから分離された幾つかの関連構成要素とを示す。
【図１９Ｄ】図１の装置の底部斜視図であり、表皮剥離要素と、それから分離された幾つかの関連構成要素とを示す。
【図２０Ａ】図１の装置の表皮剥離要素と関連構成要素とを貫く部分的断面の側面図である。
【図２０Ｂ】図１の装置の表皮剥離要素と関連構成要素との部分的な上部斜視図である。
【図２１】図１の装置の表皮剥離要素と幾つかの関連構成要素との部分的な上部斜視図である。
【図２２】図1の装置におけるドライブコネクタ組立体の底部斜視図である。
【図２３Ａ】図１の装置における表皮剥離用パッドコネクタ組立体の一部分解底部斜視図である。
【図２３Ｂ】図１の装置における表皮剥離用パッドコネクタ組立体の部分的部斜視図である。
【図２３Ｃ】図１の装置における表皮剥離用パッドコネクタ組立体の部分的上部斜視図である。
【図２４】図１の装置におけるリングパッドコネクタの上部斜視図である。
【図２５】図１の装置におけるディスクパッドコネクタの上部斜視図である。
【図２６】図１の装置における外部ドライブコネクタの底部斜視図である。
【図２７】図１の装置における内部ドライブコネクタの底部斜視図である。
【図２８Ａ】図１の装置における表皮剥離用パッドコネクタ／ドライブコネクタ組立体の一部分解底部斜視図である。
【図２８Ｂ】図１の装置における表皮剥離用パッドコネクタ／ドライブコネクタ組立体の部分的な底部斜視図である。
【図２８Ｃ】図１の装置における表皮剥離用パッドコネクタ／ドライブコネクタ組立体の部分的な底部斜視図である。
【図２９】図１の装置におけるディスクパッドコネクタと内部ドライブコネクタとの境界面の拡大部分斜視図である。
【図３０】図１の装置におけるディスクパッドコネクタとリングパッドコネクタとの境界面の拡大部分斜視図である。
【図３１】本発明に係る第７の実施の形態のモータと表皮剥離要素との部分的な上部斜視図である。
【図３２】本発明に係る第８の実施の形態のモータと表皮剥離要素との部分的な上部斜視図である。
【図３３】本発明に係る第９の実施の形態のモータと表皮剥離要素との部分的な上部斜視図である。
【符号の説明】
【００５１】
１００    電気式装置
１０２    ハウジング
１０８    同軸シャフト組立体
１１４    表皮剥離用リング
１１６    表皮剥離用リング
１１８    中空外部シャフト
１２２    ギア
１２４    内部シャフト
１２６    ギア
１２８    第１の表皮剥離用表面
１３２    球状面
１３４    第２の表皮剥離用表面
１３６    切頭球状面
１３８    素肌磨き用表面
【図１】
2005521438.tif 000003
【図２】
2005521438.tif 000004
【図３】
2005521438.tif 000005
【図４】
2005521438.tif 000006
【図５Ａ】
2005521438.tif 000007
【図５Ｂ】
2005521438.tif 000008
【図５Ｃ】
2005521438.tif 000009
【図６】
2005521438.tif 000010
【図７】
2005521438.tif 000011
【図８】
2005521438.tif 000012
【図９】
2005521438.tif 000013
【図１０】
2005521438.tif 000014
【図１１】
2005521438.tif 000015
【図１２】
2005521438.tif 000016
【図１３】
2005521438.tif 000017
【図１４】
2005521438.tif 000018
【図１５Ａ】
2005521438.tif 000019
【図１５Ｂ】
2005521438.tif 000020
【図１５Ｃ】
2005521438.tif 000021
【図１５Ｄ】
2005521438.tif 000022
【図１５Ｅ】
2005521438.tif 000023
【図１６】
2005521438.tif 000024
【図１７Ａ】
2005521438.tif 000025
【図１７Ｂ】
2005521438.tif 000026
【図１８Ａ】
2005521438.tif 000027
【図１８Ｂ】
2005521438.tif 000028
【図１９Ａ】
2005521438.tif 000029
【図１９Ｂ】
2005521438.tif 000030
【図１９Ｃ】
2005521438.tif 000031
【図１９Ｄ】
2005521438.tif 000032
【図２０Ａ】
2005521438.tif 000033
【図２０Ｂ】
2005521438.tif 000034
【図２１】
2005521438.tif 000035
【図２２】
2005521438.tif 000036
【図２３】
2005521438.tif 000037
【図２３Ｂ】
2005521438.tif 000038
【図２３Ｃ】
2005521438.tif 000039
【図２４】
2005521438.tif 000040
【図２５】
2005521438.tif 000041
【図２６】
2005521438.tif 000042
【図２７】
2005521438.tif 000043
【図２８Ａ】
2005521438.tif 000044
【図２８Ｂ】
2005521438.tif 000045
【図２８Ｃ】
2005521438.tif 000046
【図２９】
2005521438.tif 000047
【図３０】
2005521438.tif 000048
【図３１】
2005521438.tif 000049
【図３２】
2005521438.tif 000050
【図３３】
2005521438.tif 000051
【国際調査報告】
2005521438.tif 000052
2005521438.tif 000053